(57)【要約】      （修正有）【課題】収納容器内への水の浸入を確実に防止し、収納容器内の電池の交換及び保守・点検を簡単に行える電池搭載装置を提供する。【解決手段】所定形状の収納容器１内に一個又は複数個の電池２が収納されてなる電池搭載装置における収納容器１は、容器本体４とこれに重合される蓋体８とで構成されており、容器本体４と蓋体８との間には弾性体よりなるパッキン１２が備えられており、パッキン１２を介して容器本体４と蓋体８との間を強固に締め付けて密封状態で固定するようにしたクランプ手段を設け、また、このクランプ手段によってこの固定状態を容易に解除可能としている。また、電池２への充電や関連装置の保守点検時に、取り外し可能な小蓋を備え、この小蓋が蓋体８と同様に弾性体よりなるパッキンを介してクランプ手段により容器本体４又は蓋体８に密封状態で取り付け固定されている。【選択図】図２
2010033796.tif 000002
【特許請求の範囲】
【請求項１】
所定形状の収納容器内に一個又は複数個の電池が収納されてなる電池搭載装置において、前記収納容器は、容器本体と蓋体とで構成され、該容器本体と蓋体との間には弾性体よりなるパッキンが備えられるとともに、該パッキンを介して前記容器本体と前記蓋体との間を強固に締め付けて密封状態で固定し、かつこの固定状態を容易に解除可能な着脱機構を備えたクランプ手段が設けられていることを特徴とする電池搭載装置。
【請求項２】
電池への充電や関連装置の保守点検時に取り外し可能な小蓋が前記容器本体又は蓋体に設けられ、該小蓋は、前記蓋体と同様に、弾性体よりなるパッキンを介してクランプ手段により前記容器本体又は蓋体に取り付け固定されていることを特徴とする請求項１記載の電池搭載装置。
【発明の詳細な説明】
【技術分野】
【０００１】
本発明は、例えば電気自動車に搭載される電池搭載装置に関し、さらに詳細には、電池が収納される容器が完全に密封されるとともに、充電や保守点検が容易に実施できる電池搭載装置に関する。
【背景技術】
【０００２】
例えば、電気自動車において駆動用電源として搭載される電池装置は、電池が収納される容器としての電池ケースは、アッパーケースとロァーケースとから構成され、これらアッパーケースとロァーケースを重ね合わせることにより容器を形成して、該容器内に複数の電池を収納して構成されている（特許文献１参照）。
【特許文献１】特開２００５ー２３６８２６号公報
【０００３】
しかしながら、このような電池搭載装置においては、電池は水を嫌うため、電池を収納した容器内に水が浸入しないように収納容器を完全に密閉する必要があるが、前記した特許文献１に記載される電池収納容器には防水構造をみることができないので、特許文献１においては水の浸入を確実に防止することができないことは明らかである。  
【０００４】
また、前記した従来の電池ケースでは、電池及び各種制御装置（含む安全装置）の保守・点検，或いは電池の寿命により、数年ごとに電池を交換する必要があるが、従来の電池搭載装置は収納容器の電池の交換等を考慮した構造とはなっていないため、電池のみの交換を行うことが難しく、容器ごと交換しなければならないという問題があった。
【発明の開示】
【発明が解決しようとする課題】
【０００５】
本発明は，上記した点に鑑みてなされたもので、電池が収納された容器内への水の浸入を確実に防止し、かつ収納容器内の電池の交換及び関連装置の保守・点検を簡単に行える電池搭載装置の提供を目的とするものである。
【課題を解決するための手段】
【０００６】
本発明に係る電池搭載装置は、前記の目的を達成するために、所定形状の収納容器内に一個又は複数個の電池が収納されてなる電池搭載装置において、前記収納容器は、容器本体と蓋体とで構成され、該容器本体と蓋体との間には弾性体よりなるパッキンが備えられるとともに、該パッキンを介して前記容器本体と前記蓋体との間を強固に締め付けて密封状態で固定し、かつ該固定状態を容易に解除可能な着脱機構を備えたクランプ手段が設けられていることをその特徴とし、また、電池への充電や関連装置の保守点検時に取り外し可能な小蓋を備え、この小蓋が前記蓋体と同様に、弾性体よりなるパッキンを介してクランプ手段により容器本体又は蓋体に取り付け固定されていることを特徴とするものである。
【発明の効果】
【０００７】
本発明に係る電池搭載装置は、所定形状の収納容器内に一個又は複数個の電池が収納され、前記収納容器は、容器本体と蓋体とで構成され、該容器本体と蓋体との間には弾性体よりなるパッキンが備えられるとともに、該パッキンを介して前記容器本体と前記蓋体との間を強固に締め付けて密封状態で固定したので、容器内への水の浸入を確実に防止することができるものである。また、前記した固定状態を容易に解除可能な着脱機構を備えたクランプ手段が設けられているので、クランプ手段を解除することにより容易に蓋体を取り外すことができるものである。  
【０００８】
また、取り外し可能な小蓋を備え、この小蓋が弾性体よりなるパッキンを介してクランプ手段により容器本体又は蓋体に取り付け固定されているので、電池への充電や関連装置の保守・点検時には前記の小蓋を外すことにより容易に充電コードの引き出しや保守・点検を行うことができる。  
【発明を実施するための最良の形態】
【０００９】
本発明の実施の態様を図に基づいて説明すると、電池搭載装置は電気自動車の駆動電源として例えばリチウムイオン電池等の二次電池を内蔵して自動車の車室外の空間に搭載されるものである。本発明の第一実施の態様を図１〜図８に基づいて説明すると、本実施の態様における電池搭載装置は、金属あるいは硬質樹脂材よりなる収納容器１内に一個または複数個の電池２及びその関連装置を収納して構成されている。
【００１０】
前記収納容器１は深絞り構造の容器本体４と平板状の蓋体８とで構成され、全体として真円形の円筒形状に形成され、容器本体４に固定された固定脚１１を車体シャシ(図示しない)にボルト止めして設置固定される。前記した容器本体４の開口端部は外方向に水平に折り曲げられた部分６と更に該折り曲げ部６の端部を垂直に立ち上げた部分７より構成され、また、前記蓋体８の周縁端部は下方に折り曲げた後直ちに上方に立ち上げて水平部９を形成しその端部を下方に垂直に下方に折り曲げた折り曲げ部１０としている。
【００１１】
１２はゴム等の弾性体によりなる無端リング状の防水パッキンであり、該パッキン１２は、前記した容器本体４に蓋体８が重合されたとき、前記した容器本体４の折り曲げ部６と立ち上げ部７とで形成された容器本体４の開口端部と前記蓋体８の水平部９と折り曲げ部１０とで形成された周縁端部との間に位置するように容器本体４と蓋体８のいずれか一方に固定されて装着される（図３参照）。
【００１２】
１３は、断面括弧形状をなし、その一部が切り離された金属製のリング状をなすクランプバンドであり、該クランプバンド１３は、容器本体４に蓋体８が重合されたとき、容器本体４と蓋体８との重合端部の外周に両者を跨るように巻回され、該クランプバンド１３によって容器本体４と蓋体８とを締め付けることにより、前記のパッキン１２を介して容器本体４と蓋体８との間を密封するようにしている。
【００１３】
前記したクランプバンド１３による締付け手段は、クランプバンド１３の一方の切り離し端部に回動自在に取り付けられたレバー１５と、他方の切り離し端部に回動自在に取り付けられたクランプレバー１６とを備え、前記のレバー１５の自由端をクランクレバー１６の所定位置に枢着せしめた構成とし、クランプレバー１６をクランプバンド１３に接する方向に回動させれば、クランプレバー１６の所定位置に枢着されるレバー１５は引き付けられクランプバンド１３の切り離し部１４の間隔は縮小され締付けられることとなり、その結果、容器本体４と蓋体８との間が縮小されその間に介在されるパッキン１２により容器本体４と蓋体８とは密封状態で固定されることになるものである。
【００１４】
前記したクランプバンド１３、レバー１５及びクランプレバー１６よりなるクランプ手段により容器本体４と蓋体８とを締付けパッキン１２を介して収納容器１内への水の浸入を確実に防止することができる。特に、本実施の態様においては、収納容器１を真円の円筒形状に形成し、リング型のクランプバンド１３で容器本体４と蓋体８を締付けるようにしたので、収納容器１が全周にわたって均一の力で締め付けられ、より安定した密封性が確保されるものである。
【００１５】
そして、電池の交換を行うときには、クランプレバー１６をクランプバンド１３から離す方向に回動させれば、レバー１５によってクランプバンド１３の切り離し部１４の間隔は開き、クランプバンド１３は緩められクランプ手段が解除され、これにより蓋体８は容易に取り外しが可能となり、収納容器１内の電池を簡単に交換することができ、さらに関連装置の保守・点検も容易に行うことができる。
【００１６】
また、収納容器１の密封性を更に確実にするためには、図４に示す如く、容器本体４と蓋体８の開放端部に跨るように巻回されたクランプバンド１３の内側にゴム等の弾性体によりなる無端状のサブパッキン１８を装着した構成とするとよい。この場合、前記したクランプバンド１３を締付けることによって前記したサブパッキン１８が容器本体４と蓋体８とに跨って密着するようにされるので、容器本体４と蓋体８との間はパッキン１２とサブパッキン１８によって二重に密封されることとなり、一段と高い密封性を確保することができる。なお、上記したサブパッキン１８は、無端状としてクランプバンド１３の内側の全周にわたって設けてもよく、また、必要箇所に部分的に設けても良い。さらに、サブパッキン１８の形状を、容器本体４と蓋体８との間の隙間まで埋めるような形状に形成すれば、密封性をさらに向上させることができる。
【００１７】
収納容器１の形状としては、本発明の第１の実施の態様では真円形状として説明したが、特に真円形状に限ることなく、他にも例えば楕円・長円形状，矩形状等、クランプバンドによる締付けが可能な種々の形状を適用することができる。また、収納容器１は先に説明したような横置き状態に限ることなく、図７に示すような縦置き状のものでもよく、図７においては図２で説明した横置きのものを単に縦置きとしたものに相当するので図２と同一部材は同一の符号を付してある。さらに収納容器は、斜め置き状態での実施も可能である。
【００１８】
前記した収納容器１内において電池はケーブル３で接続されており、このケーブル３はゴム等の弾性体よりなる密封グロメット２０を介して収納容器１の外部に導出されて電気自動車の駆動部に電池２からの電力を供給している。そして、前記のケーブル３には電力供給用の他に制御系のケーブル３ａも含まれるので、これらのケーブル３，３ａの導出部においては容器本体４等に取り付けられる支持部材１９に固着された第二の密封グロメット２０ａを用いて二重の密封構造としてもよい（図８参照）。
【００１９】
図９及び図１０に示すものは収納容器及びクランプ手段の第２の実施態様であり、収納容器２１は長方形の函体となし、該収納容器２１は長方形の容器本体２２と該容器本体２１の開口を塞ぐように設置される蓋体２３とより構成され、これら容器本体２２と蓋体２３とを密封して締め付けることにより防水性に優れた収納容器２１となすものである。この密封締付け装置について説明すると、前記した蓋体２３の外周端部には全周に亘って膨出部２４が形成されるとともにその端部は垂直方向に折り曲げられて折り曲げ片２５とされ、さらに蓋体２３の周縁の内側には全周に亘ってゴム等の弾性体よりなるパッキン２６が固着されている。一方、容器本体２２の側には前記蓋体２３を囲むように複数のクランプレバー２９が配置されている。このクランプレバー２９は軸受部材２７によって容器本体２２に対し回動自在に軸支されており、その先端部には前記蓋体２３の膨出部２４と係合するローラ２８を備えている。
【００２０】
このように構成された収納容器２１の容器本体２２に電池等を収納し、周縁全周に亘って前記したパッキン２６を固定した蓋体２３を容器本体２２に装着すると、前記のパッキン２６は容器本体２２に接し、その状態で容器本体２２に設けられているクランプ手段のクランプレバー２９を倒し該クランプレバー２９先端部のローラ２８を蓋体２３の周縁部に形成された膨出部２４に係合させることにより蓋体２３を容器本体２２に締め付けて固定することができ、このとき前記したパッキン２６によって容器本体２２内が密封され防水効果を備えた収納容器２１となるものである。また、防水効果を高めるために容器本体２２側にはパッキン２６の先端と同形の窪み等を形成するのがよい。
【００２１】
本実施の態様による電池搭載装置においては、電池に充電を行う際には専用の充電コードが用いられ、この充電コード用の小蓋を設けることにより充電作業を容易にしている。これを図１１に基づいて説明するが、図１１において図１で説明した電池搭載装置と共通する同一部材については同一の符号で説明することとする。円形状の収納容器１内に１個又は複数個の電池２及び関連装置が収納されており、該収納容器１は、容器本体４と蓋体８とより構成され、充電コード３１を収納する収容スペース３２を蓋体８の一部を切り起こすことにより形成し、その切り起し部３３の開口端部に対応して充電用小蓋３５が着脱可能に配されている。そして、この充電用小蓋３５と前記した収容スペース３２を形成する切り起し部３３の開口端部との間には防水パッキン３６が備えられている。このパッキン３６はゴム等の弾性体よりなる無端リング状に形成され、前記切り起し部３３と充電用小蓋３５の何れか一方側に固定されている。このパッキン３６が配置される切り起し部の開口端部と充電用小蓋の周縁端部の構成は、先に説明した容器本体４の開口端部と蓋体８の周縁端部の構成と同一である。
【００２２】
さらに  前記した収容スペース３２を形成する切り起し部３３の開口端部と充電用小蓋３５との間には、両者を跨ぐように装着されて収容スペース３２と充電用小蓋３５とをパッキン３６を介して締め付け固定するためのクランプバンド３７が備えられている。このクランプバンド３７は、先に図５で説明したクランプバンド１３と同様に断面括弧形状で、一部が切り離されたリング状をなし、クランプレバーの操作によって切り離し部を収縮あるいは拡張して締め付けあるいは解除を行うものであることは前述したとおりである。また、収容本体４と蓋体８との防水のための密封構成も先に図１〜３で説明した構成を備えている。
【００２３】
このように構成される充電用小蓋３５を備えた電池搭載装置においては、充電を行う際は大きな蓋体８を取り外さずとも、該蓋体８よりも小さい充電用小蓋３５を外すことによって容易に充電用コード３１を引出すことができるため充電を簡便に行うことができる。
【００２４】
また、充電コード用の収容スペースを収納容器の蓋体に設けたものを図１１に基づいて説明したが、前記の収容スペースは蓋体に限らず容器本体側に設けても差し支えなく同様の効果が得られるものであり、収容スペースを容器本体側に設ける場合は、図１２に示すように収納容器１は縦型とする必要がある。これを説明するに、図１１で説明した部材と同一の作用を有するものは同一の符号で説明することとする。該収容スペース３２は縦型とされた容器本体４の背面部４ａの一部を切り起こすことにより形成されるものであり、その切り起し部３３の開口端部に対応して充電用小蓋３５が着脱可能に配されている。そして、この充電用小蓋３５と前記した収容スペース３２を形成する切り起し部３３の開口端部との間には防水パッキン３６が備えられておる。このパッキン３６はゴム等の弾性体よりなる無端リング状に形成され、前記切り起し部３３と充電用小蓋３５の何れか一方側に固定されている。
【００２５】
さらに、  前記した収容スペース３２を形成する切り起し部３３の開口端部と充電用小蓋３５との間には、両者を跨ぐように装着されて収容スペース３２と充電用小蓋３５とをパッキン３６を介して締め付け固定するクランプバンド３７を備えている。このクランプバンド３７は、先に図５で説明したクランプバンド１３と同様に断面括弧形状で、一部が切り離されたリング状をなし、クランプレバーの操作によって切り離し部を収縮あるいは拡張して締め付けあるいは解除を行うものであることは前述したとおりであり、図１２に示す縦型のものにあっても先に説明した横型のものと同一の作用効果を有するものである。
【００２６】
また、前記した収容スペースを設置した電池搭載装置において、外部の充電コードを使用する場合には、図１３で示すように収容スペース３２の内部に充電コード接続用端子３９を設けておくのがよい。図１３においては図１１と同一部材には同一の符号が付してある。
【００２７】
電池搭載装置においては、電池の関連装置として電池の充放電の制御を行う制御装置が収納されている。図１４はこの制御装置４１の保守・点検時に使用される保守用小蓋４０を設けておき、該保守用小蓋４０を取り外すことにより制御装置の保守・点検を容易にするようにしたものである。この保守用小蓋４０を設けた電池搭載装置は、先に図１１にて説明した充電用小蓋を設けたものと同一の構成をなすものであり、保守用小蓋４０は、制御装置４１の保守・点検に必要な充分な大きさに形成された蓋体８の開口部に図１１の説明で述べたと同様のパッキン３６及びクランプバンド３７によって密封状態に保ちながら取り付けられるとともに、クランプバンド３７を解除することにより容易に取り外しが可能である。なお、図１４に示すものは保守用小蓋４０を蓋体８側に設けた構成を示してあるが、容器本体４側に設けた構成も可能であることは勿論である。
【００２８】
前記したような保守用小蓋４０を設けた電池搭載装置においては、制御装置の保守・点検時には大きな蓋体８を取り外さなくても蓋体８より小さな保守用小蓋４０を取り外すことで容易に保守・点検を行うことができるので便利である。なお、保守用小蓋４０を前記した充電用小蓋３５と兼用させた構成としてもよい。
【００２９】
本発明の実施の態様においては、収納容器１の形状として図１５に示すように容器本体４の底部４ｂと蓋体８とをそれぞれドーム形状とするのが好適である。なお、図１５の例では外側に膨らませたドーム形状としてあるが、内側に凹となるドーム形状としてもよい。収納容器は完成時に密封性を確認するために内部を正圧または負圧にして検査を行うが、容器本体４の底部４ｂと蓋体８をそれぞれ外側または内側にドーム形状に形成したことにより、圧力に対する強度を確保することができるので、圧力による変形を効果的に抑制することができるものである。
【００３０】
また、本発明の実施の態様による電池搭載装置においては収納容器の内外の温度差が発生した際に、収納容器に圧力差による応力が生じるが、この応力が無視できない場合には、水の浸入を防ぎ、かつ内外気を導通するエアベントを設けてもよい。
【００３１】
さらに、本発明の実施の態様としては、収納容器を二重構造とした装置としてもよく、この場合は収納容器を外側の収納容器と内側の収納容器とで二重に構成し、このように二重の収納容器とすることにより、不測の事態により万が一どちらか一方の収納容器のクランプ手段が外れた場合でも、他方の収納容器のクランプ手段によって確実に密封性が確保されるものである。
【００３２】
さらに、前記したような二重構造の収納容器による装置では、外側の収納容器と内側の収納容器とでそれぞれ収容本体と蓋体とを固定するクランプ手段を変えることで不測の事態でも二つのクランプ手段が同時に外れ難い構造とし、安定した密封状態を確保することができるものである。そして、上記したクランプ手段の構成を変える例として、外側の収納容器に対するクランプ手段として先に図３及び図５，６で説明したクランプ手段の構成を採用し、内側の収納容器対するクランプ手段として先に図９及び図１０で説明したクランプ手段の構成を採用するとよい。
【図面の簡単な説明】
【００３３】
【図１】本発明の電池搭載装置の平面図
【図２】本発明の電池搭載装置の断面図
【図３】容器本体と蓋体との密封手段の説明図
【図４】容器本体と蓋体との密封手段の他の例の説明図
【図５】クランプバンドの締付け手段の説明図
【図６】図５のＡ−Ａ断面図
【図７】縦形収納容器の説明図
【図８】密封グロメットの説明図
【図９】収納容器の他の例の平面図
【図１０】図９に示す収納容器のクランプ手段の説明図でＡは開放時、Ｂは締付け時の説明図
【図１１】収納容器に充電用小蓋を用いた説明図
【図１２】充電用小蓋を付した収納容器を縦型とした説明図
【図１３】充電用小蓋を備えたすペース内に充電用接続端子を収納した説明図
【図１４】収納容器に保守用小蓋を用いた説明図
【図１５】収納容器をドーム状とした説明図
【符号の説明】
【００３４】
１  収納容器
２  電池  
４  容器本体  
８  蓋体  
１２  パッキン  
１３  クランプバンド  
１６  クランプレバー
【図１】
2010033796.tif 000003
【図２】
2010033796.tif 000004
【図３】
2010033796.tif 000005
【図４】
2010033796.tif 000006
【図５】
2010033796.tif 000007
【図６】
2010033796.tif 000008
【図７】
2010033796.tif 000009
【図８】
2010033796.tif 000010
【図９】
2010033796.tif 000011
【図１０】
2010033796.tif 000012
【図１１】
2010033796.tif 000013
【図１２】
2010033796.tif 000014
【図１３】
2010033796.tif 000015
【図１４】
2010033796.tif 000016
【図１５】
2010033796.tif 000017